(57)【要約】  本発明は救助工具に関し、この工具はシリンダハウジング、およびハウジングの外側に延びたピストンロッドを有するピストン、を備えた動力シリンダと、ピストンに接続された伝達機と、少なくとも1つの回転可能な駆動アームと、少なくともシリンダハウジング内に収容された構造体と、シリンダハウジング、ピストン、および伝達機のうちの１つまたは１つ以上に関して通路を形成したヨークであって、該ヨークは前記構造体に接続されて、前記少なくとも１つの回転可能な駆動アームの回転の中心を形成したヨークと、を具備している。救助工具は端部キャップをさらに具備し、端部キャップはシリンダハウジングに配置されて、シリンダの内部圧力チャンバを閉鎖し、ヨークおよび端部キャップは、一体の部品を形成している。
2018508319.tif 000002
【特許請求の範囲】
【請求項１】
シリンダハウジング、および該ハウジングの外側に延びたピストンロッドを有するピストン、を備えた動力シリンダと、
前記ピストンに接続された伝達機と、
少なくとも１つの回転可能な駆動アームと、
少なくとも前記シリンダハウジングを収容した構造体と、
前記シリンダハウジング、前記ピストン、および前記伝達機のうちのいずれか１つまたは１つ以上に関して通路を形成したヨークであって、該ヨークは前記構造体に接続されて、前記少なくとも１つの回転可能な駆動アームの回転の中心を形成したヨークと、
前記シリンダハウジング上に配置されて、前記シリンダの内部圧力チャンバを閉鎖した端部キャップと、を具備し、
前記ヨークおよび前記端部キャップは、一体の部品を形成していることを特徴とする救助工具。
【請求項２】
前記シリンダの端部キャップは、前記ピストンロッドのためのシールされた通路を具備していることを特徴とする請求項１に記載の救助工具。
【請求項３】
前記ヨークは、前記シリンダおよび前記構造体のいずれかに接続するためのバス形状のコネクタを備えていることを特徴とする請求項１または２に記載の救助工具。
【請求項４】
前記バス形状のコネクタは雌ネジまたは雄ネジを備え、前記シリンダおよび前記構造体のいずれか一方は、その反対のネジを備えていることを特徴とする請求項３に記載の救助工具。
【発明の詳細な説明】
【技術分野】
【０００１】
本開示は、拡張機または切断機のような救助工具に関する。
【背景技術】
【０００２】
本開示の発明は、もっぱら、動力シリンダと、伝達機と、少なくとも１つの回転可能な駆動アームと、を具備した工具、プッシャまたはカッタブレードのような工具である。先行技術による構成のそのようなアームは、少なくとも１つの回転の中心または軸を形成して、回転動作においてこれらのアームを駆動することが可能であるように設けられることを必要としている。この目的のために、先行技術においては、少なくとも１つのヨークが、動力シリンダを収容した構造体上にクランプされている。
【０００３】
ここに示された例示的な先行技術の開示は、特許文献１、特許文献２、特許文献３、および特許文献４であり、それらに関連して少なくとも１つの特徴が、新規且つ進歩的な、添付の単一の独立請求項の特徴部において定義されている。
【先行技術文献】
【特許文献】
【０００４】
【特許文献１】中華人民共和国特許第１０２４６２９０１号明細書
【特許文献２】米国特許第２，６４３，５６２号明細書
【特許文献３】独国特許第２９５０７４５７号明細書
【特許文献４】米国特許第３，８１９，１５３号明細書
【発明の概要】
【発明が解決しようとする課題】
【０００５】
これらの先行技術の構成は、利点および欠点を示している。例えば、先行技術においては、ヨークは構造体上にクランプされているので、シリンダのピストンロッドの移動方向とヨークのクランプ位置との間の離間が考えられる。結果的に、例えばシリンダへの油圧流体の供給によりシリンダが作動された場合、ピストンロッドの移動線または移動方向に直交した方向の力が発生することが考えられる。そのような垂直力に対抗するために、構造体、伝達機、およびヨーク、ならびに構造体へのヨークの取付け部は、すべてが非常に強固で頑丈である必要があり、そのことは頻繁により大きい寸法へと変換され、それにより本質的に問題を一層悪化させている。それは、より大きい寸法が、ピストンロッドの移動方向とヨークのクランプ位置との間の距離をより大きくしてしまうためである。当然に、バランスは頑丈さと小ささとの両方を考慮して決定されるが、一般的により小型の救助工具が必要とされ、それは例えば事故現場において、より困難な領域に到達するための救助作業を可能にし、例えば事故の犠牲者のより効果的な救助を可能にする。
【課題を解決するための手段】
【０００６】
この目的のために、本開示は、先行技術の構成の任意の１つまたは１つ以上の特定されたまたは他の問題を減少または解決さえすることを意図されている。この目的のために、ここに開示された救助工具は、シリンダハウジング、およびハウジングの外側に延びたピストンロッドを有するピストン、を備えた動力シリンダと、ピストンに接続された伝達機と、少なくとも1つの回転可能な駆動アームと、少なくともシリンダハウジングを収容した構造体と、シリンダハウジング、ピストン、および伝達機のうちの1つまたは1つ以上に関して通路を形成したヨークであって、構造体に接続されて、少なくとも１つの回転可能な駆動アームの回転の中心を形成したヨークと、を具備している。
【０００７】
本開示にしたがった救助工具により、より小型の構成が設計可能且つ達成可能であり、頑丈且つ大きくならないように実施され、簡潔かつ簡素な構成を可能とし、救助隊員がより困難な現場に到達することを可能にしている。
【０００８】
救助工具は追加の特徴を備え、それは、端部キャップがシリンダハウジング上に取外し可能に配置され、シリンダの内部圧力チャンバを閉鎖していることである。このことはシリンダのデザインをより簡素にし、例えば端部キャップがシリンダハウジング上にねじ込まれていた場合に、容易に分解されおよび保守され得る。さらに、救助工具は追加の特徴を示しており、それは、ヨークおよび端部キャップが一体部品を形成していることである。このことは空間の節約およびデザインの適切な小型化を最終的に可能にし、非常に狭い空間における救助工具の展開を可能にした非常に小型の構成をもたらしている。さらに、分解してシリンダ内部を保守することが所望された場合、ヨークおよび端部キャップは単一の作業により一体に取り外され、単一の作業において非常に簡素にシリンダに再配置することも可能である。
【０００９】
本開示の基本的な考え方は、多くの外観および実施形態をとることが可能であり、それらは添付図を参照して以下に記載されており、および／または添付の従属請求項において定義されている。本開示による救助工具の実施形態のある態様が以下に参照されており、添付の請求項または以下の実施形態は、添付の独立請求項にしたがった本開示によるすべての実施形態のより一般的な定義の代わりに、その保護の範囲における任意の制限に帰結し得ないことが理解されるべきである。独立請求項が、将来的に、今までのところは予見不可能な代替案が実施され得る特徴の定義を含み得たとしても、そのような将来の代替的な特徴を備えた実施形態も、本開示によるすべての実施形態に関する保護の範囲内に含まれるとして解釈される。
【００１０】
それに加えて、救助工具は、シリンダの端部キャップがピストンロッドのためのシールされた通路を具備している特徴を示し得る。特に一体化された端部キャップおよびヨークの組み合わせを備えた実施形態に関して、この特徴は、端部キャップがどのようにヨークを担持して、全体の最終的な構成を小型化するか、および力を制御するために関連した距離も最小に維持するか、を重要視している。
【００１１】
前述の任意の随意的な特徴に加えて、またはその代替として、本開示による救助工具は、シリンダおよび構造体のいずれかへの接続のためのバス形状のコネクタをヨークが備えている特徴を示している。それにより、救助工具の構造体への頑丈な支持が提供され得る。バス形状のコネクタを備えたそのような実施形態においては、救助工具は、バス形状のコネクタが雌ネジまたは雄ネジを備え、シリンダおよび構造体のいずれか一方が、その反対のネジを備えている特徴をさらに示し得る。それにより、コネクタは構造体にまたはシリンダに好都合に組み付けられ、および例えば保守または修理のために分解されることも可能であり、一方で先行技術によるこのタイプの救助工具は、通常は部品を一体的に溶接することを必要とし、これにより十分に頑丈な構成を達成しているが、この構成は保守もしくは修理を阻害しているか、またはこのような組み立て方は、保守もしくは修理を可能にするための別個の尺度もしくは手段を設けることを必要としている。
【００１２】
以下の、先に論じられた本開示による救助工具の実施形態は、より一般的な用語において、添付の請求項に定義された特徴と対応しており、添付図を参照して、より詳細な記載がこれ以降に提供されている。先に示されたように、特別な実施形態の特徴が、十分な開示の要求に従うために特に開示されているが、特定の実施形態の特別に開示された特徴は、特に添付の一式の請求項の独立請求項によりカバーされている限り、本開示による実施形態のアセンブリのための保護範囲にいかなる制限も負わせないものとして解釈されるべきである。さらに、添付図の個別の図においては、同じまたは類似の態様、要素、および部品は、同様の参照符号を使用して示され得る。
【図面の簡単な説明】
【００１３】
【図１】本開示による救助工具の全体的な実施形態としての拡張機を示した斜視図である。
【図２】図１の拡張機と同一の斜視図であるが、部分的な分解図を示している。
【図３】ヨークを備えた、一体化されたシリンダ端部キャップの詳細を示した斜視図である。
【図４】拡張された状態にある、図１および図２による拡張機を示した正面図である。
【発明を実施するための形態】
【００１４】
図１および図２には、拡張機１が示されている。拡張機１は本開示による救助工具の例示的な実施形態であり、代替的に本開示は切断機のようなものにも関連し得る。
【００１５】
拡張機１は、拡張機の構造体を形成した拡張機ハウジング２を具備している。ハウジングは構造体を形成するものとして参照され、それにより別個の部品が接続されてもよく、それらはハンドルバー３および油圧ホース（図示略）を拡張機１に接続するコネクタ４のようなものである。拡張機ハウジング２は、油圧とされ得るシリンダ９を収容し、その場合、コネクタ４を介した油圧源への接続が、駆動シリンダ９に提供され得る。
【００１６】
図４に示されたように、シリンダ９の外側に延びているのはピストンロッド１１である。ピストンロッド１１は、伝達機１０を介して２つの回転可能な駆動アーム５、６に接続されており、それらのアームは回転の中心７、８においてヨーク１２に回転可能に接続されている。
【００１７】
伝達機１０は原則的に２つのプッシュバー１３を具備し、これらのバーはピストンロッド１１および個々のアーム５、６の２つの回転可能な接続点１４、１５に回転可能に接続されている。
【００１８】
シリンダ９が駆動されて、ピストンロッド１１を延ばした場合、プッシュバー１３はピストンロッド１１の延び動作を構成のアーム５、６に伝達し、そのとき、図示されたようにヨーク１２の回転の中心７、８に関して外向きに回転させるようにアームを駆動させる。
【００１９】
前述のように、本開示は拡張機１の代わりに切断機にも容易に関連し、それは単に伝達機１０またはアーム５、６のヨーク１２への接続における変化を必要としており、およびアーム５、６を同時に強制的に閉じるための動力を与えた動作の逆戻りを要求し得る。好適に、切断機の実施形態においては、アーム５、６は内向きの鋭さを有することを必要とし得る。
【００２０】
図３はヨーク１２をより詳細に示した斜視図であり、実際にはヨーク１２およびシリンダ９のための端部キャップ１６の両方が一体化された実施形態である。端部キャップ１６には雄ネジ１７が設けられ、シリンダ９のシリンダハウジングは管状シリンダハウジングの内側に相手側雌ネジを有し得る。結果的に、統合されたヨーク１２の端部キャップ１６は、シリンダ９のそのようなシリンダハウジングの端部にねじ込まれることが可能である。
【００２１】
端部キャップ１６は、内部通路１８を備えてピストンロッド１１が貫通して延びることを可能にしたバス形状（bus shaped）である。図３においては、プッシュバー１３およびアーム５、６を備えた伝達機１０は、明確化のために省略されているが、回転の中心７、８を示していることにより、アーム５、６が回転の中心７、８内またはそれらの点においてどのように且つどこにヨーク１２に接続されるのかが、当業者には明確である。
【００２２】
統合されたヨーク１２の端部キャップ１６は、図３の実施形態に示された雄ネジ１７に代えて、雌ネジを備えることが可能である。
【００２３】
統合されたヨーク１２は２つの三角形構造体１９、２０をさらに具備し、各三角形構造体は、端部キャップ１６を、回転の中心７、８を形成した一対の貫通穴と接続している。結果として生じた構成の構造安定性のために、三角形構造体１９、２０は横断梁２１、２２により相互接続され、これらの梁は三角形構造体１９、２０を回転の中心７、８の近傍において接続している。
【００２４】
本開示の詳細は、添付図に示された実施形態の特別な特徴に関連しているが、技術的な詳細およびより一般的な内在した考えに直面した後に、当業者は本開示による救助工具を再構成することが直ちに可能となり、それは本開示による保護の範囲内に含まれ得るであろう。また、当業者は、添付図に記載され且つ個々に記載された、任意の特別な実施形態、態様、要素、または特徴の少なくとも1つを置き換えた構成とすることが可能となるであろう。結果的に、すべてのそのような追加および／または代替の実施形態は、添付の請求項にしたがった本開示の保護の範囲内にあると解される。
【符号の説明】
【００２５】
１  ・・・拡張機
２  ・・・拡張機ハウジング
３  ・・・ハンドルバー
４  ・・・コネクタ
５、６  ・・・駆動アーム
７、８  ・・・回転の中心
９  ・・・シリンダ
１０  ・・・伝達機
１１  ・・・ピストンロッド
１２  ・・・ヨーク
１３  ・・・プッシュバー
１４、１５  ・・・接続点
１６  ・・・端部キャップ
１７  ・・・雄ネジ
１８  ・・・内部通路
１９、２０  ・・・三角形構造体
【図１】
2018508319.tif 000003
【図２】
2018508319.tif 000004
【図３】
2018508319.tif 000005
【図４】
2018508319.tif 000006
【手続補正書】
【提出日】平成28年10月28日(2016.10.28)
【手続補正１】
【補正対象書類名】特許請求の範囲
【補正対象項目名】全文
【補正方法】変更
【補正の内容】
【特許請求の範囲】
【請求項１】
円筒形のシリンダハウジング、および該ハウジングの外側に延びたピストンロッドを有するピストン、を備えた動力シリンダと、
前記ピストンに接続された伝達機と、
少なくとも１つの回転可能な駆動アームと、
少なくとも前記シリンダハウジングを収容し構造体と、
前記シリンダハウジング、前記ピストン、および前記伝達機のうちのいずれか１つまたは１つ以上に関して通路を形成したヨークであって、該ヨークは前記構造体に接続されて、前記少なくとも１つの回転可能な駆動アームの回転の中心を形成したヨークと、
前記シリンダハウジング上に配置されて、前記シリンダの内部圧力チャンバを閉鎖した端部キャップと、を具備し、
前記ヨークおよび前記端部キャップは、一体の部品を形成しており、
前記ヨークは、前記シリンダへの接続のためのバス形状のコネクタを備えていることを特徴とする救助工具。
【請求項２】
前記シリンダの端部キャップは、前記ピストンロッドのためのシールされた通路を具備していることを特徴とする請求項１に記載の救助工具。
【請求項３】
前記バス形状のコネクタは雌ネジまたは雄ネジを備え、前記シリンダはその反対のネジを備えていることを特徴とする請求項１または２に記載の救助工具。
【手続補正２】
【補正対象書類名】明細書
【補正対象項目名】０００７
【補正方法】変更
【補正の内容】
【０００７】
本開示にしたがった救助工具により、より小型の構成が設計可能且つ達成可能であり、頑丈且つ大きくならないように実施され、簡潔かつ簡素な構成を可能とし、救助隊員がより困難な現場に到達することを可能にしている。さらに、本開示による救助工具は、ヨークが、シリンダに接続するためのバス形状のコネクタを備える特徴を示している。それにより、救助工具の構造体への頑丈な固定が提供され得る。
【手続補正３】
【補正対象書類名】明細書
【補正対象項目名】００１１
【補正方法】変更
【補正の内容】
【００１１】
バス形状のコネクタを備えた本開示によれば、救助工具は、バス形状のコネクタが雌ネジまたは雄ネジを備え、シリンダおよび構造体のいずれか一方が、その反対のネジを備えている特徴をさらに示し得る。それにより、コネクタは構造体にまたはシリンダに好都合に組み付けられ、および例えば保守または修理のために分解されることも可能であり、一方で先行技術によるこのタイプの救助工具は、通常は部品を一体的に溶接することを必要とし、これにより十分に頑丈な構成を達成しているが、この構成は保守もしくは修理を阻害しているか、またはこのような組み立て方は、保守もしくは修理を可能にするための別個の尺度もしくは手段を設けることを必要としている。
【国際調査報告】
2018508319.tif 000007
2018508319.tif 000008